(57)【要約】天板に載置される被検者の足側に配設された収納部２は、ブロック状部材２２と皿状部材２３とから構成される箱体と、この箱体の上部を覆う蓋体２１と、を備える。蓋体２１は、ブロック状部材２２と皿状部材２３とから構成される箱体における皿状部材２３に対して、軸２０を中心に揺動可能に配設されている。蓋体２１が閉止状態となったときには、ブロック状部材２２と皿状部材２３とから構成される箱体における皿状部材２３の上部がこの蓋体２１により覆われる。この状態においては、図２に示すように、収納部２における蓋体２１の上面と天板の表面とは、同じ高さ位置に配置され、同一平面状となる。
2018185802.tif 000002
【特許請求の範囲】
【請求項１】
検診台と、前記検診台上の被検者に対して放射線を照射する放射線照射部と、前記放射線照射部から照射され前記被検者を透過した放射線を検出する放射線検出部と、を備えた放射線撮影装置において、
前記検診台は、
前記被検者を載置する天板と、
前記天板を支持部に対して移動させる天板移動機構と、
前記天板に対して互いに異なる複数の方向から装着可能な操作部と、
前記天板における前記天板に載置される被検者の足側に配設され、前記操作部に接続されたケーブルを収納可能な箱体と、
前記箱体の上部を覆う蓋体と、
を備えることを特徴とする放射線撮影装置。
【請求項２】
請求項１に記載の放射線撮影装置において、
前記箱体における前記天板に載置される被検者の体軸に対する両側の側面に、前記ケーブルを通過させるための孔部が形成される放射線撮影装置。
【請求項３】
請求項２に記載の放射線撮影装置において、
前記箱体の内部に、前記ケーブルを巻回可能な巻回部材が配設される放射線撮影装置。
【請求項４】
請求項３に記載の放射線撮影装置において、
前記天板の両側にレールが配設され、
前記操作部は、前記レールを介して前記天板に装着される放射線撮影装置。
【請求項５】
請求項３に記載の放射線撮影装置において、
円弧状の案内部を有し前記放射線照射部と前記放射線検出部とを支持するＣ型アームと、
前記円弧状の案内部と係合することにより前記Ｃ型アームをスライド可能に支持するスライド機構と、
前記スライド機構を介して前記Ｃ型アームを回動可能に支持する回動機構と、
をさらに備える放射線撮影装置。
【発明の詳細な説明】
【技術分野】
【０００１】
この発明は、検診台上の被検者に対して放射線透視または放射線撮影を行う放射線撮影装置に関する。
【背景技術】
【０００２】
例えば、循環器系の検査および手術を行う場合に使用されるＸ線撮影装置は、被検者を載置する天板を備えた検診台と、Ｘ線管と、Ｘ線管から照射され検診台上の被検者を通過したＸ線を検出するＸ線検出部と、円弧状の案内部を有しＸ線管とＸ線検出部とを支持する略Ｃ字状のＣ型アームと、円弧状の案内部と係合することによりＣ型アームをスライド可能に支持するスライド機構と、スライド機構を介してＣ型アームを水平方向を向く軸心を中心に回動可能に支持する回動機構と、を備えている。また、被検者を異なる二方向から撮影するバイプレーン方式のＸ線撮影装置は、上述したＸ線管とＸ線検出部とを有するＣ型アームを一対配設した構成を有する。【０００３】
このようなＸ線撮影装置は、Ｃ型アームおよび検診台における天板の移動操作や、各種のＸ線撮影操作等を実行させるための操作部を備えている。この操作部は、Ｃ型アームと検診台との配置関係や、この操作部を操作する操作者の立ち位置等に対応して、検診台における天板に対して互いに異なる複数の方向から装着可能となっている。特許文献１においては、操作部を、検診台に対して３方向から装着可能としたＸ線撮影装置が開示されている。
【先行技術文献】
【特許文献】
【０００４】
【特許文献１】特開２０１５−１５００５５号公報
【発明の概要】
【発明が解決しようとする課題】
【０００５】
各種の操作を行うための操作部は、ケーブルを介して検診台と接続されている。一方、検診台における天板は、Ｘ線撮影の態様により、支持部に対して水平移動および昇降する構成となっている。このため、天板に配設された操作部から延びるケーブルは、天板の移動を考慮して、余裕のある長さとなっている。【０００６】
また、上述したように、操作部は、Ｃ型アームと検診台との配置関係や、この操作部を操作する操作者の立ち位置等に対応して、検診台における天板に対して互いに異なる複数の方向から装着可能となっている。また、被検者が天板上に乗り、また、天板から降りるときには、操作部を天板から一旦取り外すこともある。このような理由からも、操作部から延びるケーブルは、余裕のある長さとなっている。【０００７】
このように、検診台の天板に装着された操作部から延びるケーブルの長さが余裕長を考慮したものとされ、ケーブルにたるみが発生した場合においては、被検者等がケーブルに引っ掛かり、ケーブルに断線が生じる可能性がある。また、ケーブルのたるみは、清潔性の観点からも問題となる。【０００８】
この発明は上記課題を解決するためになされたものであり、操作部を天板に対して互いに異なる複数の方向から装着する場合においても、ケーブルのたるみを解消することが可能な放射線撮影装置を提供することを目的とする。
【課題を解決するための手段】
【０００９】
請求項１に記載の発明は、検診台と、前記検診台上の被検者に対して放射線を照射する放射線照射部と、前記放射線照射部から照射され前記被検者を透過した放射線を検出する放射線検出部と、を備えた放射線撮影装置において、前記検診台は、前記被検者を載置する天板と、前記天板を支持部に対して移動させる天板移動機構と、前記天板に対して互いに異なる複数の方向から装着可能な操作部と、前記天板における前記天板に載置される被検者の足側に配設され、前記操作部に接続されたケーブルを収納可能な箱体と、前記箱体の上部を覆う蓋体と、を備えることを特徴とする。【００１０】
請求項２に記載の発明は、請求項１に記載の発明において、前記箱体における前記天板に載置される被検者の体軸に対する両側の側面に、前記ケーブルを通過させるための孔部が形成される。【００１１】
請求項３に記載の発明は、請求項２に記載の発明において、前記箱体の内部に、前記ケーブルを巻回可能な巻回部材が配設される。【００１２】
請求項４に記載の発明は、請求項３に記載の発明において、前記天板の両側にレールが配設され、前記操作部は、前記レールを介して前記天板に装着される。【００１３】
請求項５に記載の発明は、請求項３に記載の発明において、円弧状の案内部を有し前記放射線照射部と前記放射線検出部とを支持するＣ型アームと、前記円弧状の案内部と係合することにより前記Ｃ型アームをスライド可能に支持するスライド機構と、前記スライド機構を介して前記Ｃ型アームを回動可能に支持する回動機構と、をさらに備える。
【発明の効果】
【００１４】
請求項１に記載の発明によれば、操作部を天板に対して互いに異なる複数の方向から装着する場合においても、ケーブルの余長部分を箱体内に収納することにより、ケーブルのたるみを解消することが可能となる。【００１５】
請求項２に記載の発明によれば、操作部が天板の両側の側面のいずれに装着された場合においても、ケーブルを、孔部を介して箱体内に案内することが可能となる。【００１６】
請求項３に記載の発明によれば、ケーブルにおける余長部分を巻回部材に巻回することにより、ケーブルを箱体内に整理された状態で収納することが可能となる。【００１７】
請求項４に記載の発明によれば、天板の両側のレールのいずれの領域に操作部が配置された場合においても、ケーブルのたるみを解消することが可能となる。【００１８】
請求項５に記載の発明によれば、Ｃ型アームの姿勢の変更に伴って操作部を天板に対して各種の位置に配置する場合においても、ケーブルのたるみを解消することが可能となる。
【図面の簡単な説明】
【００１９】
【図１】この発明に係る放射線撮影装置としてのＸ線撮影装置の概要図である。
【図２】検診台１の側面概要図である。
【図３】検診台１の平面概要図である。
【図４】操作部１７をレール１５に装着した状態を示す側面概要図である。
【図５】収納部２の斜視図である。
【図６】収納部２の斜視図である。
【発明を実施するための形態】
【００２０】
以下、この発明の実施の形態を図面に基づいて説明する。図１は、この発明に係る放射線撮影装置としてのＸ線撮影装置の概要図である。
【００２１】
このＸ線撮影装置は、Ｘ線管とコリメータとから成るＸ線照射部３１と、このＸ線照射部３１から照射されて検診台１上に横たわった被検者を通過したＸ線を検出するＸ線検出部としてのフラットパネルディテクタ３２と、これらのＸ線照射部３１およびフラットパネルディテクタ３２を支持する略Ｃ字状のＣ型アーム３３と、このＣ型アーム３３をスライド可能に支持するスライド部３４と、このスライド部３４を旋回させる旋回部３５と、この旋回部３５を床面に対して立設した状態で支持する支持部３６とを備える。
【００２２】
Ｃ型アーム３３には、円弧状の案内部３７が形成されており、スライド部３４は、この案内部３７に係合することにより、Ｃ型アーム３３をスライド可能な状態で支持している。そして、Ｃ型アーム３３は、Ｘ線照射部３１とフラットパネルディテクタ３２とを、Ｘ線照射部３１におけるＸ線管の焦点からフラットパネルディテクタ３２に至るＸ線の軸線が、案内部３７を形成する円弧の直径と一致する状態で支持している。また、旋回部３５は、スライド部３４をＣ型アーム３３等とともに、Ｘ線管の焦点からフラットパネルディテクタ３２に至るＸ線の軸線と直交する軸を中心に旋回させる。このような構成を有するＸ線撮影装置においては、Ｃ型アーム３３をスライドおよび旋回させることにより、検診台１上の被検者に対して任意の方向からＸ線透視またはＸ線撮影を実行することが可能となる。
【００２３】
次に、この発明の特徴部分である検診台１の構成について説明する。図２は、検診台１の側面概要図である。また、図３は、検診台１の平面概要図である。
【００２４】
この検診台１は、被検者を載置する天板１１と、第１支持部１２と、第２支持部１３と、第３支持部１４とを備える。天板１１は、ガイド部材４２に案内されることにより、第１支持部１２、第２支持部１３、第３支持部１４に対して、図２および図３において矢印Ａで示す長手方向に往復移動する。この長手方向は、天板１１上に横たわる被検者の体軸方向である。なお、被検者は、天板１１の幅が小さくなった側（図２および図３における左側）を頭部側とし、その逆側（図２および図３における右側）を足側として天板１１上に横たわる。
【００２５】
また、第２支持部１３は、ガイド部材４１に案内されることにより、天板１１および第１支持部１２とともに、第３支持部１４に対して、図３において矢印Ｂで示す短手方向に往復移動する。この短手方向は、上述した長手方向と直交する方向である。また、第１支持部１２は、図示しない揺動機構により、天板１１とともに、第２支持部１３に対して、長手方向と平行な軸を中心として揺動する。
【００２６】
天板１１における短手方向の両側（天板１１に載置される被検者の体軸に対する両側）には、一対のレール１５が配設されている。そして、操作部１７が、これらレール１５に対して、任意の位置に着脱可能に装着されている。すなわち、操作部１７は、レール１５を介して天板１１に装着されている。この操作部１７は、Ｃ型アーム３３の姿勢を変更し、また検診台１における天板１１を移動させ、あるいは、各種のＸ線撮影操作等を実行させるためのものである。
【００２７】
この操作部１７には、ケーブル１６が接続されている。このケーブル１６における操作部１７とは逆側の端部領域は、ケーブル１６の収納部２の内部に収納されている。このケーブル１６は、操作部１７を、レール１５に対してどの位置にも装着可能な長さを有する。すなわち、このケーブル１６は、天板１１に対してレール１５を介して操作部１７を装着する全ての装着領域に対して操作部１７を装着可能な長さを有する。なお、ケーブル１６の収納部２は、天板１１における、この天板１１に載置される被検者の足側（図２および図３における右側）の端部領域に連設される状態で配設されている。
【００２８】
図４は、操作部１７をレール１５に装着した状態を示す側面概要図である。
【００２９】
この操作部１７は、各種の操作を実行するための操作領域１８を備える。この操作領域１８には、各種の操作ボタンやタッチパネル式の表示部等が配設される。また、この操作部１７には、必要に応じ、操作レバー等も配設される。この操作部１７は、支持部１９に対して、軸２８を中心に揺動可能に配設されている。支持部１９は、操作ネジ２９を利用して、上述したレール１５に装着される。
【００３０】
図５および図６は、上述した収納部２の斜視図である。なお、図５は、収納部２における蓋体２１を閉止した状態を示し、図６は、収納部２における蓋体２１を開放した状態を示している。
【００３１】
この収納部２は、ブロック状部材２２と皿状部材２３とから構成される箱体と、この箱体の上部を覆う蓋体２１と、を備える。蓋体２１は、ブロック状部材２２と皿状部材２３とから構成される箱体における皿状部材２３に対して、軸２０を中心に揺動可能に配設されている。図５に示すように、蓋体２１が閉止状態となったときには、ブロック状部材２２と皿状部材２３とから構成される箱体における皿状部材２３の上部がこの蓋体２１により覆われる。この状態においては、図２に示すように、収納部２における蓋体２１の上面と天板１１の表面とは、同じ高さ位置に配置され、同一平面状となる。
【００３２】
箱体を構成するブロック状部材２２における天板１１に載置される被検者の体軸に対する両側の側面（図３において矢印Ｂで示す短手方向の両側の側面）には、操作部１７に接続されたケーブル１６を通過させるための孔部２４が形成されている。この孔部２４は、図５に示すように、蓋体２１が箱体を覆う閉止状態となったときにも、外部に向けて開口した状態となっている。
【００３３】
図６に示すように、箱体を構成するブロック状部材２２には、ケーブル１６を第１支持部１２に案内するための孔部２５が形成されている。また、箱体を構成する皿状部材２３には、ケーブル１６を巻回可能な３個の巻回部材２６が配設されている。
【００３４】
以上のような構成を有するＸ線撮影装置においては、Ｃ型アーム３３と検診台１との配置関係や、この操作部１７を操作する操作者の立ち位置等に対応して、検診台１における天板１１に配設された一対のレール１５における所定の位置に操作部１７が取り付けられる。そして、収納部２における蓋体２１を開放した状態で、操作部１７から延びるケーブル１６の余長部分を、収納部２におけるブロック状部材２２と皿状部材２３とから構成される箱体内に収納する。このときには、ケーブル１６は、箱体を構成するブロック状部材２２における両側の側面に形成されたいずれかの孔部２４を介して箱体内に侵入する。そして、必要に応じ、ケーブル１６の余長部分が、３個の巻回部材２６のうちの複数の巻回部材２６に巻回された後、蓋体２１が閉止される。
【００３５】
この状態においては、ケーブル１６の余長部分は、収納部２における箱体内に収納されていることから、ケーブル１６にたるみが発生することを防止することが可能となる。このため、被検者等がケーブル１６に引っ掛かり、ケーブル１６に断線が生じたり、ケーブル１６のたるみによりケーブル１６が汚染されたりすることはない。なお、このケーブル１６は、箱体を構成するブロック状部材２２に形成された孔部２５を介して、図２に示す第１支持部１２に到達している。このため、天板１１が図２および図３に矢印Ａで示す長手方向や矢印Ｂで示す短手方向に移動する構成としたときにも、ケーブル１６が外部で垂れ下がる等の現象を生ずることはない。
【００３６】
また、収納部２における蓋体２１が閉止状態となったときには、図２に示すように、収納部２における蓋体２１の上面と天板１１の表面とは、同じ高さ位置に配置され、同一平面状となる。このため、蓋体２１の上部に、Ｘ線撮影時に使用される機器等を載置することが可能となる。
【００３７】
なお、上述した実施形態においては、操作部１７を天板１１の両側に配設した一対のレール１５に装着する場合について説明したが、例えば、収納部２におけるブロック状部材２２にさらにレールを配設し、操作部１７を天板１１に対して３方向から装着する構成を採用してもよい。
【００３８】
また、上述した実施形態においては、検診台１に対してＸ線照射部３１からフラットパネルディテクタ３２に至る撮影方向が変化し、それにより操作部１７の天板１１に対する取り付け位置を変更することが特に要請されるＣ型アーム３３を有するＸ線撮影装置にこの発明を適用した場合について説明したが、その他の撮影方式によるＸ線撮影装置に使用される検診台１に対してこの発明を適用してもよい。
【符号の説明】
【００３９】
１      検診台
２      収納部
１１    天板
１２    第１支持部
１３    第２支持部
１４    第３支持部
１５    レール
１６    ケーブル
１７    操作部
１８    操舵領域
１９    支持部
２０    軸
２１    蓋体
２２    ブロック状部材
２３    皿状部材
２４    孔部
２５    孔部
２６    巻回部材
３１    Ｘ線発生部
３２    フラットパネルディテクタ
３３    Ｃ型アーム
３４    スライド部
３５    旋回部
３６    支持部
４１    ガイド部材
４２    ガイド部材
【図１】
2018185802.tif 000003
【図２】
2018185802.tif 000004
【図３】
2018185802.tif 000005
【図４】
2018185802.tif 000006
【図５】
2018185802.tif 000007
【図６】
2018185802.tif 000008
【国際調査報告】
2018185802.tif 000009
2018185802.tif 000010